(57)【要約】      （修正有）【課題】電波の干渉を防止する交織布を提供する。【解決手段】複数の縦方向の導電性繊維と、複数の縦方向の非導電性繊維と、複数の横方向の導電性繊維と、複数の横方向の非導電性繊維とを備える複合材料繊維布を有し、該複合材料繊維布に少なくとも１つの四変形のアリアである非遮蔽区域が設けられ、該各非遮蔽区域は、複数の縦方向の非導電性繊維と複数の横方向の非導電性繊維とを織ると共に、該複数の縦方向の導電性繊維と複数の横方向の導電性繊維とを、該非遮蔽区域を通過しないように交織することにより構成される。【選択図】図１
0003177762.tif 000002
【実用新案登録請求の範囲】
【請求項１】
複数の縦方向の導電性繊維と、複数の縦方向の非導電性繊維と、複数の横方向の導電性繊維と、複数の横方向の非導電性繊維とを備える複合材料繊維布を有し、該複合材料繊維布に少なくとも１つの四辺形のエリアである非遮蔽区域が設けられ、該各非遮蔽区域は、複数の縦方向の非導電性繊維と複数の横方向の非導電性繊維とを織ると共に、該複数の縦方向の導電性繊維と複数の横方向の導電性繊維とを、該非遮蔽区域を通過しないように織ることにより構成されることを特徴とする通信障害防止用交織布。
【請求項２】
前記複合材料繊維布が炭素繊維または金属繊維からなる導電性繊維を備えることを特徴とする請求項１に記載の通信障害防止用交織布。
【請求項３】
前記複合材料繊維布が化学繊維またはガラス繊維からなる非導電性繊維を備えることを特徴とする請求項１または２に記載の通信障害防止用交織布。
【考案の詳細な説明】
【技術分野】
【０００１】
本考案は、導電繊維及び非導電繊維を交織することにより、電波の干渉を防止する交織布に関するものである。
【背景技術】
【０００２】
現在の電子製品（例えば、携帯電話など）には、薄くて軽く、且つ高強度の製品が要求されているので、軽量で薄く、且つ質感に優れた炭素繊維などの複合材料及び樹脂を用いて携帯電話のケースなどが製造されている。
【０００３】
現在のケースは、一般的な複合材料、例えば、導電性を有する炭素繊維と樹脂からなり、その炭素繊維を加工すると、硬性を具備して強固なケースを構成できるが、そのケースには導電性を有することから、電波により通信を行なう時、電波の干渉や遮蔽などの問題が発生し、電波の強さを増強しなければ通信できないという問題があったので、使用上、非常に不便であった。
【考案の概要】
【考案が解決しようとする課題】
【０００４】
既存の複合材料のケースは、導電性を有する炭素繊維の生地からなるので、通信製品のケースとして使用する時、電磁波による信号の干渉や遮蔽などの問題があった。
【課題を解決するための手段】
【０００５】
本考案に係る通信障害防止の交織布は、複数の縦方向の導電性繊維と、複数の縦方向の非導電性繊維と、複数の横方向の導電性繊維と、複数の横方向の非導電性繊維とを備える複合材料繊維布を有し、該複合材料繊維布に少なくとも１つの四辺形のエリアである非遮蔽区域が設けられ、該各非遮蔽区域は、複数の縦方向の非導電性繊維と複数の横方向の非導電性繊維とを織ると共に、該複数の縦方向の導電性繊維と複数の横方向の導電性繊維とを、該非遮蔽区域を通過しないように織ることにより構成されるものである。
【０００６】
前記複合材料繊維布が炭素繊維または金属繊維からなる導電性繊維を備えることが好ましい。
【０００７】
前記複合材料繊維布が化学繊維またはガラス繊維からなる非導電性繊維を備えることが好ましい。
【考案の効果】
【０００８】
本考案に係る通信障害防止用交織布において、複合材料繊維布を利用してケースを製造する時は、その非遮蔽域に非導電性繊維を織ることによって構成することから、ケースの非遮蔽区域に導電性を有しなく、携帯電話などの電波の干渉または遮蔽が発生しないので、通信障害を防止することができる。また、その複合材料繊維布と樹脂とを加圧成型すると、軽量、高強度、且つ耐摩耗性を備えたケースを得ることができる。
【図面の簡単な説明】
【０００９】
【図１】本考案に係る通信障害防止用交織布の斜視図である。
【図２】本考案に係る通信障害防止用交織布の部分拡大斜視図である。
【図３】本考案に係る通信障害防止用交織布と樹脂とを加圧成型して製造したケースの斜視図である。
【図４】図３のケースに携帯電話を装着する状態を示す正面視斜視図である。
【図５】図３のケースに携帯電話を装着した状態を示す背面視斜視図である。
【考案を実施するための形態】
【００１０】
以下、添付図面を参照して本考案の好適な実施の形態を詳細に説明する。なお、下記実施例は、本考案の好適な実施の形態を示したものにすぎず、本考案の技術的範囲は、下記実施例そのものに何ら限定されるものではない。
【００１１】
図１及び図２に示すように、本考案に係る通信障害防止用交織布は、複数の縦方向の導電性繊維１１と、複数の縦方向の非導電性繊維１２と、複数の横方向の導電性繊維１１と、複数の横方向の非導電性繊維１２とを含む複合材料繊維布１０であり、該複合材料繊維布１０は、それら導電性繊維１１と非導電性繊維１２とを縦方向または横方向に沿って交織することにより形成される。
【００１２】
尚、前記導電性繊維１１は、炭素繊維や金属繊維であってもよく、また、前記非導電性繊維１２は、化学繊維またはガラス繊維からなり、ポリエチレンテレフタレート（ＰＥＴ）や、ポリエチレン（ＰＥ）、ポリプロピレン（ＰＰ）、ケブラー（Ｋｅｖｌａｒ）、パラ型アラミド繊維（Ａｒａｍｉｄ，Ｐａｒａ  Ａｒａｍｉｄ）、玄武岩繊維（Ｂａｓａｌｔ）などの強度や柔軟性の高い有機繊維または無機繊維からなってもよい。
【００１３】
本考案に係る通信障害防止用交織布における複合材料繊維布１０は、携帯電話などの様々な通信製品に用いられ、それらの通信信号を送受信する位置に、少なくとも１つの非遮蔽区域１３が形成され、該各非遮蔽区域１３は、四辺形のエリアであり、複数の縦方向の非導電性繊維１２と複数の横方向の非導電性繊維１２とを交織することにより形成される。
【００１４】
また、本考案に係る通信障害防止用交織布における複合材料繊維布１０は、複数の縦方向の導電性繊維１１と複数の横方向の導電性繊維１１とを、該非遮蔽区域１３を通過しないように交織することによりなり、即ち、それら導電性繊維１１の交織は、複合材料繊維布１０における非遮蔽区域１３以外の部分にて行われる。
【００１５】
図３乃至図５に示すように、本考案に係る通信障害防止用交織布は、複合材料繊維布１０を適当なサイズに裁断して樹脂と加圧成型することにより、携帯電話や通信製品などのケース２０を製造し、そのケース２０に携帯電話を収容すると（図５の如く）、信号を妨害せずに、携帯電話をカバーして保護することができる。
【００１６】
本考案に係る通信障害防止用交織布により製造したケース２０は、非遮蔽域１３に非導電性繊維１２しか有しなく、つまり導電性繊維１１を有しないことから、ケース２０の非遮蔽区域１３には導電性を有しないので、携帯電話の電波の干渉または遮蔽を防止する。さらに、本考案に係る通信障害防止用交織布を用いて複合材料により製造されたケース２０は、軽量で高強度で、且つ耐摩耗性を有する。
【産業上の利用可能性】
【００１７】
本考案は上記の構成を有するので、上述した複合材料繊維布を製造する時には、複数の導電性繊維及び複数の非導電性繊維を利用して機械によって縦方向及び横方向に交織して複合材料繊維布を構成させる。また、複合材料繊維布で非遮蔽区域を織る時には、タイプが異なる通信製品における送受信の位置と対応するように、複数の非導電繊維を縦横方向に交織して非遮蔽区域を形成し、その後、複合材料繊維布と樹脂とを合わせて加圧成型の加工を行ってケースを製造するので、パネルＰＣや、ノートパソコン、ＭＰ３、携帯電話などのケースとしても使用することができる。
【符号の説明】
【００１８】
１０    複合材料繊維布
１１    導電性繊維
１２    非導電性繊維
１３    非遮蔽区域
【図１】
0003177762.tif 000003
【図２】
0003177762.tif 000004
【図３】
0003177762.tif 000005
【図４】
0003177762.tif 000006
【図５】
0003177762.tif 000007